(57)【特許請求の範囲】
【請求項１】
モジュール格納部を有する端末本体と、前記モジュール格納部に格納されたモジュールとを電気的に接続するコネクタ構造において、
前記モジュール格納部に格納された前記モジュールと係合することで、前記モジュールの電極と前記端末本体の電極とを電気的に接続する略棒状のコネクタを備え、
前記コネクタは、前記モジュール格納部の一側端部に回動自在に軸支されていて、前記モジュールが係合されて前記モジュール格納部に着脱される際に回動し、
前記コネクタには、当該コネクタの長手方向に沿ってスライドされた前記モジュールに対して係合するフックが設けられている、
ことを特徴とするコネクタ構造。
【請求項２】
請求項１記載のコネクタ構造において、
前記コネクタには、前記端末本体の電極が、前記モジュールの電極と接触可能となるように露出しており、
前記端末本体の電極の周囲には、前記コネクタに前記モジュールが係合された際に前記モジュールに密着する第一シール部が設けられていて、
前記端末本体の電極、前記第一シール部及び前記フックとの位置関係は、
前記コネクタに前記モジュールがスライドして係合する際に、まず前記第一シール部が前記モジュールに密着してから前記モジュールに前記フックが係合して、前記端末本体の電極が前記モジュールの電極に接触し、当該接触の後に前記モジュールと前記フックとの係合が完了する位置関係に設定されていることを特徴とするコネクタ構造。
【請求項３】
請求項１又は２記載のコネクタ構造において、
前記コネクタには、前記モジュールのスライドを案内する板状のガイド部材が設けられていることを特徴とするコネクタ構造。
【請求項４】
請求項３記載のコネクタ構造において、
前記ガイド部材には、前記モジュールを前記モジュール格納部から引き出すための取っ手が設けられていることを特徴とするコネクタ構造。
【請求項５】
モジュール格納部を有する端末本体と、前記モジュール格納部に格納されたモジュールとを電気的に接続するコネクタ構造において、
前記モジュール格納部に格納された前記モジュールと係合することで、前記モジュールの電極と前記端末本体の電極とを電気的に接続する略棒状のコネクタを備え、
前記コネクタは、前記モジュール格納部の一側端部に回動自在に軸支されていて、前記モジュールが係合されて前記モジュール格納部に着脱される際に回動し、
前記コネクタの一端部からは、前記端末本体の電子部品及び前記端末本体の電極を導通するケーブルが引き出されていて、
前記コネクタの一端部の周囲には、前記引き出されたケーブル側に水が進入しないように前記モジュール格納部に密着するシール部が設けられている、
ことを特徴とするコネクタ構造。
【請求項６】
請求項１〜５のいずれか一項に記載のコネクタ構造において、
前記コネクタには、前記端末本体の電極が、前記モジュールの電極と接触可能となるように露出しており、
前記端末本体の電極と前記モジュールの電極との接触範囲は、前記モジュール格納部に格納された前記モジュールと当該モジュール格納部の内壁面との間隔よりも大きく設定されていることを特徴とするコネクタ構造。
【請求項７】
請求項１〜６のいずれか一項に記載のコネクタ構造において、
前記コネクタには、前記端末本体の電極が、前記モジュールの電極と接触可能となるように露出しており、
前記端末本体の電極の周囲には、前記コネクタに前記モジュールが係合された際に前記モジュールに密着する第一シール部が設けられていることを特徴とするコネクタ構造。
【請求項８】
モジュール格納部を有する端末本体と、
前記モジュール格納部に格納されたモジュールを前記端末本体に電気的に接続するコネクタ部とを有する端末装置において、
前記コネクタ部は、
前記モジュール格納部に格納された前記モジュールと係合することで、前記モジュールの電極と前記端末本体の電極とを電気的に接続する略棒状のコネクタを備え、
前記コネクタは、前記モジュール格納部の一側端部に回動自在に軸支されていて、前記モジュールが係合されて前記モジュール格納部に着脱される際に回動し、
前記コネクタには、当該コネクタの長手方向に沿ってスライドされた前記モジュールに対して係合するフックが設けられている、
ことを特徴とする端末装置。
【請求項９】
モジュール格納部を有する端末本体と、
前記モジュール格納部に格納されたモジュールを前記端末本体に電気的に接続するコネクタ部とを有する端末装置において、
前記コネクタ部は、
前記モジュール格納部に格納された前記モジュールと係合することで、前記モジュールの電極と前記端末本体の電極とを電気的に接続する略棒状のコネクタを備え、
前記コネクタは、前記モジュール格納部の一側端部に回動自在に軸支されていて、前記モジュールが係合されて前記モジュール格納部に着脱される際に回動し、
前記コネクタの一端部からは、前記端末本体の電子部品及び前記端末本体の電極を導通するケーブルが引き出されていて、
前記コネクタの一端部の周囲には、前記引き出されたケーブル側に水が進入しないように前記モジュール格納部に密着するシール部が設けられている、
ことを特徴とする端末装置。
【発明の詳細な説明】
【技術分野】
【０００１】
本発明は、コネクタ構造及び端末装置に関する。
【背景技術】
【０００２】
例えば、携帯電話のような携帯して持ち運ばれる端末機器では、電池パック等のモジュールを携帯時にもガタツキなく収納していることが求められている。このため、ガタツキを防止するとともに十分な落下強度を備えて収納する構造が開発されている（例えば特許文献１参照）。この特許文献１に記載される技術は、電池パックの取り出し方向に直交する横方向から凹部と凸部とを嵌合させて電池パックを収納部内に引っ掛け固定する嵌合部を電池パックと収納部とに設け、この嵌合部によって電池パックを収納部内に固定する構造となっている。
【特許文献１】特開平１１−２５０８８０号公報
【発明の開示】
【発明が解決しようとする課題】
【０００３】
しかしながら、特許文献１記載の技術であると、横方向から凹部と凸部とを嵌合させる必要があるために、嵌合部を電池パックの収納スペースよりも外側に配置せざるを得ず、そのスペース分だけ小型化の弊害となっていた。
また、電池パックはリード線によって端末機器内部の電子部品に電気的に接続される構成になっているために、電池パックの着脱に手間がかかることになっていた。
そこで、本発明の課題は、モジュールの収納スペースの増大化を抑えつつもモジュールのガタツキを防止し、さらにモジュールと内部の電子部品との電気的な接続作業を簡略化することである。
【課題を解決するための手段】
【０００４】
請求項１記載の発明は、
モジュール格納部を有する端末本体と、前記モジュール格納部に格納されたモジュールとを電気的に接続するコネクタ構造において、
前記モジュール格納部に格納された前記モジュールと係合することで、前記モジュールの電極と前記端末本体の電極とを電気的に接続する略棒状のコネクタを備え、
前記コネクタは、前記モジュール格納部の一側端部に回動自在に軸支されていて、前記モジュールが係合されて前記モジュール格納部に着脱される際に回動し、
前記コネクタには、当該コネクタの長手方向に沿ってスライドされた前記モジュールに対して係合するフックが設けられている、
ことを特徴としている。
【０００５】
請求項２記載の発明は、請求項１記載のコネクタ構造において、
前記コネクタには、前記端末本体の電極が、前記モジュールの電極と接触可能となるように露出しており、
前記端末本体の電極の周囲には、前記コネクタに前記モジュールが係合された際に前記モジュールに密着する第一シール部が設けられていて、
前記端末本体の電極、前記第一シール部及び前記フックとの位置関係は、
前記コネクタに前記モジュールがスライドして係合する際に、まず前記第一シール部が前記モジュールに密着してから前記モジュールに前記フックが係合して、前記端末本体の電極が前記モジュールの電極に接触し、当該接触の後に前記モジュールと前記フックとの係合が完了する位置関係に設定されていることを特徴としている。
【０００６】
請求項３記載の発明は、請求項１又は２記載のコネクタ構造において、
前記コネクタには、前記モジュールのスライドを案内する板状のガイド部材が設けられていることを特徴としている。
【０００７】
請求項４記載の発明は、請求項３記載のコネクタ構造において、
前記ガイド部材には、前記モジュールを前記モジュール格納部から引き出すための取っ手が設けられていることを特徴としている。
【０００８】
請求項５記載の発明は、
モジュール格納部を有する端末本体と、前記モジュール格納部に格納されたモジュールとを電気的に接続するコネクタ構造において、
前記モジュール格納部に格納された前記モジュールと係合することで、前記モジュールの電極と前記端末本体の電極とを電気的に接続する略棒状のコネクタを備え、
前記コネクタは、前記モジュール格納部の一側端部に回動自在に軸支されていて、前記モジュールが係合されて前記モジュール格納部に着脱される際に回動し、
前記コネクタの一端部からは、前記端末本体の電子部品及び前記端末本体の電極を導通するケーブルが引き出されていて、
前記コネクタの一端部の周囲には、前記引き出されたケーブル側に水が進入しないように前記モジュール格納部に密着するシール部が設けられている、
ことを特徴としている。
【０００９】
請求項６記載の発明は、請求項１〜５のいずれか一項に記載のコネクタ構造において、
前記コネクタには、前記端末本体の電極が、前記モジュールの電極と接触可能となるように露出しており、
前記端末本体の電極と前記モジュールの電極との接触範囲は、前記モジュール格納部に格納された前記モジュールと当該モジュール格納部の内壁面との間隔よりも大きく設定されていることを特徴としている。
【００１０】
請求項７記載の発明は、請求項１〜６のいずれか一項に記載のコネクタ構造において、
前記コネクタには、前記端末本体の電極が、前記モジュールの電極と接触可能となるように露出しており、
前記端末本体の電極の周囲には、前記コネクタに前記モジュールが係合された際に前記モジュールに密着する第一シール部が設けられていることを特徴としている。
【００１１】
請求項８記載の発明は、
モジュール格納部を有する端末本体と、
前記モジュール格納部に格納されたモジュールを前記端末本体に電気的に接続するコネクタ部とを有する端末装置において、
前記コネクタ部は、
前記モジュール格納部に格納された前記モジュールと係合することで、前記モジュールの電極と前記端末本体の電極とを電気的に接続する略棒状のコネクタを備え、
前記コネクタは、前記モジュール格納部の一側端部に回動自在に軸支されていて、前記モジュールが係合されて前記モジュール格納部に着脱される際に回動し、
前記コネクタには、当該コネクタの長手方向に沿ってスライドされた前記モジュールに対して係合するフックが設けられている、
ことを特徴としている。
【００１２】
請求項９記載の発明は、
モジュール格納部を有する端末本体と、
前記モジュール格納部に格納されたモジュールを前記端末本体に電気的に接続するコネクタ部とを有する端末装置において、
前記コネクタ部は、
前記モジュール格納部に格納された前記モジュールと係合することで、前記モジュールの電極と前記端末本体の電極とを電気的に接続する略棒状のコネクタを備え、
前記コネクタは、前記モジュール格納部の一側端部に回動自在に軸支されていて、前記モジュールが係合されて前記モジュール格納部に着脱される際に回動し、
前記コネクタの一端部からは、前記端末本体の電子部品及び前記端末本体の電極を導通するケーブルが引き出されていて、
前記コネクタの一端部の周囲には、前記引き出されたケーブル側に水が進入しないように前記モジュール格納部に密着するシール部が設けられている、
ことを特徴としている。
【発明の効果】
【００１３】
本発明によれば、コネクタが回動自在であるために、モジュールを接続する際には接続が容易な位置まで事前にコネクタを回動させることが可能である。したがって、モジュールの収納スペースの増大化を抑えつつもモジュールのガタツキを防止することが可能となる。
【発明を実施するための最良の形態】
【００１４】
以下に、本発明を実施するための好ましい形態について図面を用いて説明する。ただし、以下に述べる実施形態には、本発明を実施するために技術的に好ましい種々の限定が付されているが、発明の範囲を以下の実施形態及び図示例に限定するものではない。また、本実施形態では、本発明に係る端末機器として携帯電話を例示して説明するが、端末機器はこれに限定されるものではなく、これ以外にも例えばＰＤＡ、ゲーム機器及びノート型ＰＣ、電子手帳、カメラ等が挙げられる。
【００１５】
図１は、本実施形態に係る携帯電話の裏面側を示す斜視図である。図１に示すように、携帯電話１の端末本体１０には、その裏面側にカメラ窓１１、ライト窓１２及び音響部１３を備えた下筐体１４が設けられている。また、下筐体１４には、電池カバー１５と、当該電池カバー１５により覆われる電池格納部（モジュール格納部）１６とが設けられている。
【００１６】
図２は、電池カバー１５を取り外して露出した状態の電池格納部１６を示す斜視図である。電池格納部１６には、電池パック１７が着脱自在に格納されていて、この電池パック１７と端末本体１０とを電気的に接続するためのコネクタ部２０と、コネクタ部２０を回動自在に軸支する軸支部３０とが設けられている。
【００１７】
電池パック１７の一側面には、例えば３つの電極１７１が所定の間隔を開けて配列されている（図１０参照）。また、電池パック１７の一側面には、コネクタ部２０に係合するための一対のパック用フック１７２が、３つの電極１７１を当該電極１７１の配列方向で挟むように設けられている。パック用フック１７２における奥側（電池パック１７が電池格納部１６に搭載された際に奥となる側）には壁部１７３が設けられている。
【００１８】
次に、本発明に係るコネクタ構造を備えたコネクタ部２０について説明する。図３はコネクタ部２０の概略構成を示す斜視図であり、図４はコネクタ部２０の分解斜視図である。この図３，４に示すように、コネクタ部２０には、略棒状のコネクタ２１と、例えばＦＰＣ等のケーブル２２とが設けられている。
【００１９】
コネクタ２１は、端末本体１０側の電極２１１及びケーブル２２が取り付けられるコネクタベース２２０と、コネクタベース２２０に取り付けられたケーブル２２を覆うコネクタカバー２３０とが設けられている。
【００２０】
コネクタベース２２０の中央部には、略Ｌ字状の３つの電極２１１が取り付けられる電極取付部２２１が設けられている。電極取付部２２１には、３つ電極２１１の長辺部２１２がそれぞれ挿入される３つの挿入孔２２２が長手方向に所定の間隔を開けて形成されている。各挿入孔２２２に３つの電極２１１の長辺部２１２が挿入されると、当該電極２１１の短辺部２１３がコネクタベース２２０の一側面に露出し、電池パック１７の各電極１７１に接触可能な状態となる。なお、電極２１１の短辺部２１３は外方に向けて凸となる形状であり、電池パック１７の電極１７１に接触した際に押下されるようになっている。電極２１１と電池パック１７の電極１７１との接触範囲は、電池格納部１６に格納された電池パック１７と当該電池格納部１６の内壁面との間隔Ｈ（図２参照）よりも大きく設定されている。
【００２１】
一方、各挿入孔２２２に挿入された電極２１１の長辺部２１２の先端部は、コネクタベース２２０の他側面に露出する。これにより、各電極２１１の長辺部２１２がケーブル２２に結線可能な状態となる。
【００２２】
また、コネクタベース２２０には、各電極２１１の露出した短辺部２１３を囲む環状の第一シール部２２３が設けられている。第一シール部２２３は、コネクタ２１に電池パック１７が係合されて、端末本体１０の電極２１１と、電池パック１７の電極１７１とが接触した際に電池パック１７に密着して、コネクタ部２０と電池パック１７との間を水密にする。これにより、両電極１７１，２１１が防水される。また、第一シール部２２３の厚みは、当該第一シール部２２３がない場合の電池パック１７とコネクタ部２０との隙間よりも大きめに設定されている。これにより、両電極１７１，２１１の接触時には電池パック１７及びコネクタ部２０によって第一シール部２２３が圧縮されて密着度が高められることになる。
【００２３】
また、コネクタベース２２０の一側面には、パック用フック１７２に係合する一対のコネクタ用フック（フック）２２４が、３つの電極２１１を当該電極２１１の配列方向で挟むように設けられている。
【００２４】
コネクタベース２２０の一端部は円柱状に形成されている。コネクタベース２２０の一端部側には、ケーブル２２を外部に引き出すための引き出し孔２２５と、引き出し孔２２５に連通する溝２２６とが、長手方向に沿って軸心上に形成されている。また、コネクタベース２２０の一端部の周囲には第一凹部２２７が形成されていて、この第一凹部２２７には、引き出されたケーブル２２側に水が進入しないように電池格納部１６に密着する第二シール部２２８が取り付けられている。
また、コネクタベース２２０の他端部は円柱状に形成されていて、その周囲には第二凹部２２９が形成されている。
【００２５】
そして、コネクタベース２２０に電極２１１とケーブル２２とが取り付けられると、挿入孔２２２と溝２２６の内部に例えばシリコン等の接着剤が注入される。これにより、挿入孔２２２内の隙間や溝２２６内の隙間が埋まり、電極２１１及びケーブル２２の周辺が封止されることになる。
【００２６】
また、第一シール部２２３及び第二シール部２２８としては、例えばＯリング、異形Ｏリング、オイルシール及び成形シール等が用いられる。
【００２７】
コネクタカバー２３０は、例えば樹脂等により半円柱状に形成されていて、コネクタベース２２０の他側面に取り付けられることで、ケーブル２２を覆うようになっている。
【００２８】
図５は、軸支部３０の概略構成を示す斜視図である。図５に示すように軸支部３０は、電池格納部１６の一側端部に配置されている。軸支部３０には、コネクタ２１の一端部を軸支する第一軸支部３１と、コネクタ２１の他端部を軸支する第二軸支部３２とが設けられている。
【００２９】
第一軸支部３１は、下筐体１４の内部に通ずるように下筐体１４に形成された貫通孔である。この第一軸支部３１にコネクタベース２２０の一端部が嵌合することで、当該一端部が回動自在に軸支されることになる。また、第一軸支部３１内にはケーブル２２が配されるので、ケーブル２２と端末本体１０内部の電子部品とが電気的に接続可能となる。
【００３０】
第二軸支部３２には、コネクタベース２２０の他端部を回動自在に軸支するための軸受部３３と、軸受部３３にコネクタベース２２０の他端部を取り付ける取付部３４とが設けられている。
軸受部３３は、電池格納部１６における第一軸支部３１に対向する位置に配置されていて、下筐体１４に一体的に形成されている。そして、軸受部３３には、コネクタベース２２０の他端部が係合する係合溝３５と、取付部３４を固定するためのネジ３６が螺合するネジ穴３７とが形成されている（図８参照）。
【００３１】
図６は取付部３４の正面側を示す斜視図であり、図７は取付部３４の裏面側を示す斜視図である。この図６，７に示すように、取付部３４には、コネクタベース２２０の他端部の第二凹部２２９に係合する係合突部３８と、当該他端部に係合する係合溝３９と、ネジ３６が挿入される貫通孔４０とが形成されている。
【００３２】
図８は、軸支部３０にコネクタ２１を取り付ける際の一工程を示す斜視図である。この図８に示すように、軸支部３０にコネクタ２１を取り付ける際には、まずコネクタ２１の一端部を第一軸支部３１に挿入して（矢印Ａ１）、コネクタ２１の他端部を第二軸支部３２の軸受部３３に係合する（矢印Ａ２）。このとき、第二シール部２２８（図３参照）が第一軸支部３１の内周面に密着することになるので、当該第一軸支部３１から水が進入してしまうことを防止できる。
【００３３】
その後、軸受部３３に取付部３４を取り付けて、貫通孔４０を介してネジ３６をネジ穴３７に螺合する（図５，６参照）。これにより、軸支部３０にコネクタ２１が取り付けられ、コネクタ２１が電池格納部１６の一側端部で回動自在に軸支されることになる。
【００３４】
次に、本実施形態の作用について説明する。なお、図９〜図１４は、電池パック１７を電池格納部１６に取り付ける際の工程を示す説明図である。
まず、電池パック１７の取り付け前においては、図９に示すようにユーザはコネクタ部２０のコネクタ２１を、電極２１１が外側を向くように回動させておく。なお、コネクタカバー２３０（図３参照）の外観形状が半円柱状に形成されているので、コネクタ２１を回動させる際に引っかかることなくスムーズに回動させることができる。
そして、図１０に示すように、ユーザはコネクタ用フック２２４に対してパック用フック１７２が係合可能となる位置に、電池パック１７の位置合わせを行う。
【００３５】
位置合わせの後、ユーザは図１１，１２に示すように電池パック１７をコネクタ２１に押しつけ、第一シール部２２３と電池パック１７とを密着させてから（矢印Ｂ１）、その状態で図１２，１３に示すように電池パック１７を、コネクタ２１の長手方向に沿ってスライドさせ（矢印Ｂ２）、コネクタ用フック２２４とパック用フック１７２とを係合させる。両フック１７２，２２４の係合が完了するまでの間に、電池パック１７の電極１７１と、コネクタ部２０の電極２１１とは接触する。この際、第一シール部２２３は、電池パック１７に密着しているので、接触状態にあるコネクタ部２０の電極２１１と電池パック１７の電極１７１とが防水される。また、両電極１７１，２１１の接触時においては、第一シール部２２３が圧縮されているので、その反発力が電池パック１７及びコネクタ部２０に作用する。これにより、コネクタ用フック２２４と、パック用フック１７２との係合がより強固なものとなる。
【００３６】
また、上記したように、コネクタ２１に電池パック１７がスライドして係合する際においては、まず第一シール部２２３が電池パック１７に密着してからパック用フック１７２にコネクタ用フック２２４が係合して、電極２１１が電池パック１７の電極１７１に接触し、当該接触の後にコネクタ用フック２２４とパック用フック１７２との係合が完了する位置関係に、コネクタ２１の電極２１１、第一シール部２２３及びコネクタ用フック２２４の位置関係が設定されている。これにより、両電極１７１，２１１が導通する前に、第一シール部２２３によって防水されることになり、ショートや漏電等の不具合が生じることを防止できる。
【００３７】
電池パック１７がコネクタ２１に取り付けられて、電池パック１７と端末本体１０とが導通すると、ユーザは図１４に示すようにコネクタ２１を回動させることで（矢印Ｂ３）、電池パック１７を電池格納部１６内に格納する。この格納時にコネクタ２１が回動すると、コネクタ用フック２２４の進行方向側に電池パック１７の壁部１７３があるので、コネクタ用フック２２４が壁部１７３を押し進めることになる。格納後、電池格納部１６内では、第一シール部２２３の反発力によって電池パック１７のガタツキが防止される。
【００３８】
ここで、上述したようにコネクタ部２０の電極２１１と電池パック１７の電極１７１とのスライド方向における接触範囲は、電池格納部１６に格納された電池パック１７と当該電池格納部１６の内壁面との間隔Ｈよりも大きく設定されているため、万が一、電池パック１７が電池格納部１６内でがたついて移動したとしても、電池パック１７が電池格納部１６の内壁面に接触すれば、それ以上の移動が規制されることになり、両電極１７１，２１１の接触状態は維持される。
本実施形態では、電池格納部１６は、４つの内壁面１６１〜１６４で電池パック１７の周囲を囲んでいるが、電池パック１７のガタツキを規制するには当該電池パック１７に対して両フック１７２，２２４の係合が解除される方向に位置する内壁面１６１が最も重要である。このため、この内壁面１６１を間隔Ｈの基準となる内壁面としている。この点を考慮すると、電池格納部１６は、少なくとも電池パック１７の全周を囲っている必要はなく、少なくとも電池パック１７に対して両フック１７２，２２４の係合が解除される方向だけを覆うようにしていればよい。
【００３９】
以上のように、本実施形態によれば、コネクタ２１が回動自在であるために、電池パック１７を接続する際には接続が容易な位置まで事前にコネクタ２１を回動させることが可能である。これにより従来よりも接続作業を簡略化することができる。
また、略棒状のコネクタ２１が電池格納部１６の一側端部で回転自在に軸支されているので、コネクタ２１の設置スペースを極力小さくすることが可能となる。ここで、従来技術として挙げた例では、モジュール（電池パック）のガタツキを防止すべく、嵌合部の凹部若しくは突部を収納部（モジュール格納部）内に設けなければならず、その分、収納部のスペースが大きくなっていた。一方、本実施形態であれば、コネクタ２１に接続され電池格納部１６に格納された電池パック１７のガタツキは、電池格納部１６の壁部（内壁面１６１〜１６４）により防止されるものである。このため、電池格納部１６の壁部と電池パック１７との隙間を極力小さくすることが求められる。つまり、電池格納部１６に余分なスペースを設けないことでガタツキを防止することができるため、電池パック１７の収納スペースの増大化を抑えつつも電池パック１７のガタツキを防止することが可能となる。
【００４０】
また、コネクタ２１には、コネクタ２１の長手方向に沿ってスライドされた電池パック１７に対して係合するパック用フック１７２が設けられているので、電池パック１７の着脱を容易で確実なものにすることが可能である。
【００４１】
なお、本発明は上記実施形態に限らず適宜変更可能である。
例えば、本実施形態では、本発明に係るモジュールとして電池パックを例示して説明したが、モジュールとしてはこれ以外にもメモリカード及び通信モジュール等が挙げられる。
【００４２】
また、上記実施形態では、コネクタ２１が端末本体１０の短手方向に延在する場合を例示して説明したが、延在方向は長手縦方向であってもよい。
さらに、軸支部としては、コネクタ２１を回動自在に軸支可能なものであれば如何なるものでもよい。図１５は軸支部の変形例を示す斜視図である。図１５に示すように軸支部６０は、延在方向が端末本体１０の長手方向に沿うようにコネクタ２１を軸支している。軸支部６０は、コネクタ２１の一端部を軸支する第一軸支部６１と、コネクタ２１の他端部を軸支する第二軸支部６２とが設けられている。
【００４３】
第一軸支部６１は、下筐体１４の内部に通ずるように下筐体１４に形成された貫通孔である。この第一軸支部６１にコネクタベース２２０の一端部が嵌合することで、当該一端部が回動自在に軸支されることになる。また、第一軸支部６１内にはケーブル２２が配されるので、ケーブル２２と端末本体１０内部の電子部品とが電気的に接続可能となる。
【００４４】
第二軸支部６２は、下筐体１４における第一軸支部６１に対向する位置に形成された凹部６３と、凹部６３にコネクタベース２２０の他端部を取り付ける取付部６４とが設けられている。
凹部６３は、下筐体１４の内側に向かって凹んでいるものの、当該下筐体１４内部の電子部品にまでは通じておらず、当該凹部６３内に水が進入したとしても電子部品には影響が及ばないようになっている。
【００４５】
図１６は取付部６４を示す斜視図である。取付部６４は、コネクタベース２２０の他端部に係合する切欠６５が形成されている。コネクタベース２２０の他端部が凹部６３内に挿入された状態で、当該他端部に取付部６４を係合させれば、凹部６３内にコネクタベース２２０の他端部を回動自在に取り付けることができる。
【００４６】
図１７は軸支部６０にコネクタ２１を取り付ける際の一工程を示す斜視図である。この図１７に示すように、軸支部６０にコネクタ２１を取り付ける際には、まずコネクタベース２２０の他端部を第二軸支部６２の凹部６３内に挿入して（矢印Ｃ１）、コネクタベース２２０の一端部と第一軸支部６１とを対向させる。その後、図１５に示すように、コネクタベース２２０の一端部を第一軸支部６１に挿入する（矢印Ｃ２）。このとき、第二シール部２２８が第一軸支部３１の内周面に密着することになるので、当該第一軸支部３１から水が進入してしまうことを防止できる。
【００４７】
その後、凹部６３内に挿入された状態であるコネクタベース２２０の他端部に対して、取付部６４を係合すれば、軸支部６０にコネクタ２１が取り付けられ、コネクタ２１が電池格納部１６の一側端部で回動自在に軸支されることになる。
【００４８】
図１８は、電池パック１７のスライドを案内する板状のガイド部材７０がコネクタ２１に取り付けられた状態を示す斜視図である。この図１８に示すように、コネクタ２１に対して、電池パック１７のスライドを案内する板状のガイド部材７０を設けていれば、電池パック１７の取り付け時におけるスライド動作がガイド部材７０によって補助されることになり、取り付け作業を容易にすることが可能となる。
具体的には、ガイド部材７０は、コネクタベース２２０に一体的に成形されていて、電池パック１７の背面を支持する支持板７１と、支持板７１の先端から電池パック１７の正面側まで延在する取っ手７２とが設けられている。図１９は、電池パック１７が電池格納部１６内に格納された際の取っ手７２の状態を示す斜視図である。この図１９に示すように取っ手７２は、電池パック１７の格納時に露出しているので、この取っ手７２に指を引っかけて引き出せば、電池パック１７の取り出し作業が容易に行えることとなる。
【図面の簡単な説明】
【００４９】
【図１】本実施形態に係る携帯電話の裏面側を示す斜視図である。
【図２】図１の携帯電話から電池カバーを取り外して露出した状態の電池格納部を示す斜視図である。
【図３】本実施形態に係るコネクタ部の概略構成を示す斜視図である。
【図４】図３のコネクタ部の分解斜視図である。
【図５】図３のコネクタ部を回動自在に軸支するための軸支部の概略構成を示す斜視図である。
【図６】図５の軸支部に備わる取付部の正面側を示す斜視図である。
【図７】図６の取付部の裏面側を示す斜視図である。
【図８】図５の軸支部にコネクタを取り付ける際の一工程を示す斜視図である。
【図９】本実施形態に係る電池パックを電池格納部に取り付ける際の一工程を示す斜視図である。
【図１０】図９で示した工程の次の工程を示す図であり、電池パックと電池格納部との位置合わせ時における状態を示す断面図である。
【図１１】図１０で示した工程の次の工程を示す図であり、電池パックをコネクタに押しつけた際の状態を示す断面図である。
【図１２】図１０で示した工程の次の工程を示す図であり、電池パックをコネクタに押しつけた際の状態を示す斜視図である。
【図１３】図１１で示した工程の次の工程を示す図であり、電池パックとコネクタとが係合した際の状態を示す断面図である。
【図１４】図１３で示した工程の次の工程を示す図であり、電池格納部に格納された電池パックの状態を示す斜視図である。
【図１５】軸支部の変形例を示す斜視図である。
【図１６】図１５の軸支部に備わる取付部を示す斜視図である
【図１７】図１５の軸支部にコネクタを取り付ける際の一工程を示す斜視図である。
【図１８】電池パックのスライドを案内する板状のガイド部材がコネクタに取り付けられた状態を示す斜視図である。
【図１９】電池パックが電池格納部内に格納された際の取っ手の状態を示す斜視図である。
【符号の説明】
【００５０】
１      携帯電話（端末装置）
１０      端末本体
１４      下筐体
１６      電池格納部（モジュール格納部）
１７      電池パック（モジュール）
２０      コネクタ部
２１      コネクタ
２２      ケーブル
３０      軸支部
７０      ガイド部材
１６１      内壁面
１７１      電極（モジュールの電極）
１７２      パック用フック
２１１      電極（端末本体の電極）
２２３      第一シール部
２２４      コネクタ用フック（フック）
２２８      第二シール部
Ｈ      間隔
【図１】
0004945804.tif 000002
【図２】
0004945804.tif 000003
【図３】
0004945804.tif 000004
【図４】
0004945804.tif 000005
【図５】
0004945804.tif 000006
【図６】
0004945804.tif 000007
【図７】
0004945804.tif 000008
【図８】
0004945804.tif 000009
【図９】
0004945804.tif 000010
【図１０】
0004945804.tif 000011
【図１１】
0004945804.tif 000012
【図１２】
0004945804.tif 000013
【図１３】
0004945804.tif 000014
【図１４】
0004945804.tif 000015
【図１５】
0004945804.tif 000016
【図１６】
0004945804.tif 000017
【図１７】
0004945804.tif 000018
【図１８】
0004945804.tif 000019
【図１９】
0004945804.tif 000020